(57)【要約】【課題】従来の消費電力測定装置では、電力測定のためのターンオン時間の計測をおこなう制御手段やインダクタンスは交流電圧の一次側を測定することとなり、絶縁性能を維持するために結果的に小型化できない上にコストアップとなるといった課題があった。【解決手段】ＡＣ／ＤＣ変換電源１１ａの二次側の直流電圧を測定する電圧計測手段１０１と、ＡＣ／ＤＣ変換電源二次側にある家電機器側の回路への配線パターンの一定配線長間の電圧を測定する電流要素測定手段１０２と、配線パターンの一定配線長間の配線抵抗値を記録する抵抗記録手段１０３と、電流要素測定手段１０２で測定した電圧と抵抗記録手段１０３の抵抗値からＡＣ／ＤＣ変換電源二次側の負荷電流を演算する電流演算手段１０４と、電圧計測手段１０１の電圧と電流演算手段１０４の電流とから電力および電力量を演算する電力演算手段１０５とを備える。【選択図】図１
2006184063.tif 000002
【特許請求の範囲】
【請求項１】
一次側となる商用周波数の交流電圧を二次側の直流低電圧に変換するＡＣ／ＤＣ変換電源を内蔵した家電機器の電力監視を行う電力監視システムであって、前記ＡＣ／ＤＣ変換電源の二次側の直流電圧を測定する電圧計測手段と、前記ＡＣ／ＤＣ変換電源二次側にある家電機器側の回路への配線パターンの一定配線長間の電圧を測定する電流要素測定手段と、前記配線パターンの一定配線長間の配線抵抗値を記録する抵抗記録手段と、前記電流要素測定手段で測定した電圧と前記抵抗記録手段の抵抗値からＡＣ／ＤＣ変換電源二次側の負荷電流を演算する電流演算手段と、前記電圧計測手段の電圧と前記電流演算手段の電流とから電力および電力量を演算する電力演算手段とを備えた電力監視システム。
【請求項２】
ＡＣ／ＤＣ変換電源の一次側と二次側の電力変換効率を事前に設定する効率設定手段と、前記効率設定手段で設定された効率値から前記電力演算手段で測定したＡＣ／ＤＣ変換電源のニ次側の電力および電力量を一次側の電力および電力量に換算する簡易電力測定手段とを備えた請求項１記載の電力監視システム。
【請求項３】
電流要素測定手段をＡＣ／ＤＣ変換電源の二次側回路グランドを基準とした一定配線長間の電圧を測定する簡易電流要素測定手段とした請求項１または２いずれかに記載の電力監視システム。
【請求項４】
抵抗記録手段に記録されている抵抗値を事前に任意に設定する設定手段と、設定値を記録する記録手段とを備えた請求項１から３いずれかに記載の電力監視システム。
【請求項５】
抵抗記録手段を通常使用状態と事前に決められた一定の負荷電流が流れる電流設定状態とに切替える切替手段と、前記切替手段が電流設定状態の場合に電流要素測定手段で測定した電圧と、事前に決められた一定の負荷電流とから配線パターンの一定配線長間の抵抗値を演算する抵抗演算手段とを備えた請求項１から３いずれかに記載の電力監視システム。
【請求項６】
ＡＣ／ＤＣ変換電源二次側にある家電機器側の回路への配線パターンの一定配線長間をプリント基板の銅箔パターンであって、抵抗記録手段に、プリント基板の銅箔のパターン幅と厚みと配線長とから抵抗値を換算する抵抗換算手段を備えた請求項１から３いずれかに記載の電力監視システム。
【請求項７】
家電機器を無線または電灯線通信により接続し、家庭内の家電機器毎の電力値を測定し、合計値および個別家電機器の電力値を監視する請求項１から６のいずれか１項記載の電力監視システム。
【発明の詳細な説明】
【技術分野】
【０００１】
本発明は、ＡＣ／ＤＣ変換電源を内蔵する家電機器の消費電力および電力量を測定する電力監視システムに関する。
【背景技術】
【０００２】
従来の電力監視システムとして、図４で示すようなものがあった（例えば特許文献１参照）。
【０００３】
この特許文献１の例について図４を用いて説明する。
【０００４】
図３において、入力される交流電圧を整流及び平滑する整流手段１００１Ａと、この整流手段１００１Ａの電圧が供給されて一次側巻線の電流断続により二次側に所定個の電圧を発生させる変圧手段１００２Ａと、フィードバック電圧及び同期信号により生成されたパルス幅変調制御信号により変圧手段１００２Ａの一次側出力電圧のオンオフをスイッチングするスイッチング手段１００３Ａと、このスイッチング手段１００３Ａのターンオン時間を計算するため前記変圧手段１００１Ａの一次側電圧を調整する電圧調整手段１００４Ａと、この電圧調整手段１００４Ａの出力に基づいてスイッチング手段１００３Ａのターンオン時間を計算し、そのターンオン時間、スイッチング手段１００３Ａのスイッチング周波数及び変圧手段１００２Ａのインダクタンスに基づいて消費電力を測定する制御手段１００５Ａとを備えた構成とする。
【０００５】
以下に、その動作について説明する。
【０００６】
一次側交流電圧１００を整流手段１００１Ａで整流および平滑し、その平滑された電圧を変圧手段１００２Ａに入力し、二次側に所定の電圧を発生させる。次にスイッチング手段１００３Ａにより変圧手段１００２Ａの一次側電圧をオンオフする。次に電圧調整手段１００４Ａにより、スイッチング手段１００３Ａにより発生する変圧手段１００２Ａの一次側電圧の電圧調整をおこない、制御手段１００５Ａでターンオン時間を計測し、そのターンオン時間およびスイッチング周波数１００３Ａ、変圧手段１００２Ａのインダクタンスから消費電力を計測する。
【特許文献１】特開２００４−１０１５１８号公報
【発明の開示】
【発明が解決しようとする課題】
【０００７】
しかしながら、上述した電力監視システムでは、電力測定のためのターンオン時間の計測をおこなう制御手段１００５Ａや変圧手段１００２Ａのインダクタンスは交流電圧の一次側を測定することとなり、絶縁性能を維持するために結果的に小型化できない上にコストアップとなる問題点があった。
【０００８】
本発明は、前記従来の課題を解決するもので、一次側交流電圧の計測をおこなわずに二次側の計測を機器構成上、定常的に使用している回路部品を利用して簡易的な一次側電力換算して計測をおこない、構造上小型で経済性の良い電力監視システムを提供することを目的とする。
【課題を解決するための手段】
【０００９】
上記課題を解決するために、本発明においては、一次側となる商用周波数を二次側の直流低電圧に変換するＡＣ／ＤＣ変換電源を内蔵した家電機器の電力監視を行う電力監視システムであって、ＡＣ／ＤＣ変換電源の二次側の直流電圧を測定する電圧計測手段と、ＡＣ／ＤＣ変換電源二次側にある家電機器側の回路への配線パターンの一定配線長間の電圧を測定する電流要素測定手段と、配線パターンの一定配線長間の配線抵抗値を記録する抵抗記録手段と、前記電流要素測定手段で測定した電圧と抵抗記録手段の抵抗値からＡＣ／ＤＣ変換電源二次側の負荷電流を演算する電流演算手段と、電圧計測手段の電圧と電流演算手段の電流とから電力および電力量を演算する電力演算手段とを備える構成とした。
【００１０】
これによって、一次側の交流電圧を測定するための電源一次側に接続するＶＴ（計器用変成器）およびＣＴ（計器用変流器）を用いる必要がなく、回路構成上使用している部品等で、簡易的に二次側を計測し、一次側の電力値に換算することで、容易に電力監視が可能となる。
【発明の効果】
【００１１】
以上で説明したように、本発明によれば電源一次側に接続するＶＴ（計器用変成器）およびＣＴ（計器用変流器）を用いず回路内の配線パターンと回路電源を利用するだけで簡易的に電力監視が可能となり大幅なコストダウンと小型軽量化が図れる。
【発明を実施するための最良の形態】
【００１２】
第１の発明は、一次側となる商用周波数の交流電圧を二次側の直流低電圧に変換するＡＣ／ＤＣ変換電源を内蔵した家電機器の電力監視を行う電力監視システムであって、ＡＣ／ＤＣ変換電源の二次側の直流電圧を測定する電圧計測手段と、ＡＣ／ＤＣ変換電源二次側にある家電機器側の回路への配線パターンの一定配線長間の電圧を測定する電流要素測定手段と、配線パターンの一定配線長間の配線抵抗値を記録する抵抗記録手段と、前記電流要素測定手段で測定した電圧と抵抗記録手段の抵抗値からＡＣ／ＤＣ変換電源二次側の負荷電流を演算する電流演算手段と、電圧計測手段の電圧と電流演算手段の電流とから電力および電力量を演算する電力演算手段とを備えることにより、二次側の電力測定から一次側電力値を換算することになり、電源一次側に接続するＶＴ（計器用変成器）およびＣＴ（計器用変流器）を用いず回路内の配線パターンと回路電源を利用するだけで電力監視が可能となり大幅なコストダウンと小型軽量化が図れる。
【００１３】
第２の発明は、第１の発明の電力監視システムを、ＡＣ／ＤＣ変換電源の一次側と二次側の電力変換効率を事前に設定する効率設定手段と、前記効率設定手段で設定された効率値から前記電力演算手段で測定したＡＣ／ＤＣ変換電源のニ次側の電力および電力量を一次側の電力および電力量に換算する簡易電力測定手段とを備えることにより、電力変換効率の値に応じた一次側の換算値とすることとなり、簡易電力監視の測定精度を改善可能とすることができる。
【００１４】
第３の発明は、特に、第１または第２の発明の電力監視システムを、電流要素測定手段をＡＣ／ＤＣ変換電源の二次側回路グランド（ＧＮＤ）を基準とした一定配線長間の電圧を測定する簡易電流要素測定手段とすることにより、一定配線長間の電圧を回路グランド（ＧＮＤ）を共通にして測定することとなり、測定回路のオフセットや絶縁性を考慮せずに容易に測定することができる。さらに、家電機器の回路と回路グランド（ＧＮＤ）を共通にして電流要素手段と電圧計測手段を測定することで、一定配線長パターンの片側の電圧測定するだけで両端電圧を測定することが可能で配線数、計測方法の容易化が図れる。
【００１５】
第４の発明は、特に、第１〜３の発明のいずれか１つの発明の電力監視システムを、抵抗記録手段に記録されている抵抗値を事前に任意に設定する設定手段と、設定値を記録する記録手段とを備えることにより、電源回路毎に抵抗値を正しく設定することになり、電源回路毎の一定配線長間の抵抗値のばらつきによる電力精度低下を抑制することができる。
【００１６】
第５の発明は、特に、第１〜３の発明のいずれか１つの発明の電力監視システムを、抵抗記録手段を通常使用状態と事前に決められた一定の負荷電流が流れる電流設定状態とに切替える切替手段と、切替手段が電流設定状態の場合に電流要素測定手段で測定した電圧と事前に決められた一定の負荷電流とから配線パターンの一定配線長間の抵抗値を演算する抵抗演算手段とを備えることにより、一定配線長間の抵抗値を切替え手段により再設定することが可能となり、経年変化、温度変化を発生した場合でも再設定することで電力値精度を維持することができる。
【００１７】
第６の発明は、特に、第１〜３の発明のいずれか１つの発明の電力監視システムを、ＡＣ／ＤＣ変換電源二次側にある家電機器側の回路への配線パターンの一定配線長間をプリント基板の銅箔パターンであって、抵抗記録手段にプリント基板の銅箔のパターン幅と厚みと配線長とから抵抗値を換算する抵抗換算手段を備えることにより、一定配線長間の抵抗値を測定することなく換算することとなり、抵抗値測定や測定のための電流発生源といった部品または装置を不要にすることができる。
【００１８】
第７の発明は、特に、第１〜６の発明のいずれか１つの発明の電力監視システムにおいて家電機器を無線または電灯線通信により接続し、家庭内の家電機器毎の電力値を測定し、合計値および個別家電機器の電力値を監視する電力監視システムとすることにより、家電機器毎の電力測定を容易におこなうこととなり、家庭内の電気使用量を把握するために家電機器に大幅のコストアップすることなく実現でき、省エネルギーの啓蒙活動も可能にする。
【００１９】
以下、本発明の実施の形態について、図面を参照しながら説明する。なお、この実施の形態によって本発明が限定されるものではない。
【００２０】
（実施の形態１）
図１は本発明の実施の形態１の電力監視システムの構成図を示す。１は電力監視システムを内蔵した家電機器で、１Ａは家電機器を動作させるために交流（ＡＣ）１００Ｖを入力して家電機器内部回路の電源直流（ＤＣ）＋５Ｖに変換するＡＣ／ＤＣ変換電源である。１１ａ、１１ｂはＡＣ／ＤＣ変換電源１ＡのＡＣ１００Ｖを入力する入力端子で、１２ａ１２ｂはＡＣ／ＤＣ変換電源１Ａの出力端子で、１２ａはＤＣ＋５Ｖ側で、１２ｂは回路グランド（ＧＮＤ）側である。
【００２１】
次に、２ＡはＡＣ／ＤＣ変換電源１Ａが供給する家電機器内部の負荷回路で、家電機器の動作回路全の消費電力となるものである。３ＡはＡＣ／ＤＣ変換電源１Ａから家電機器負荷回路２Ａに接続配線されているＧＮＤ側の一定長配線パターンで、配線長により微小抵抗値を持っている。４Ａは家電機器１を動作させるためのＡＣ／ＤＣ変換電源１Ａの大元で共通の回路ＧＮＤである。
【００２２】
このＡＣ／ＤＣ変換電源１Ａが家電機器内部の負荷回路２Ａと同じプリント基板上に実装され、一定長配線パターン３Ａはプリント基板上の銅箔でパターン幅、厚み、長さが確認されている場合として説明をおこなうが、プリント基板に実装しない場合に、銅線の長さ、断面積が確認された銅線の配線であっても同じである。
【００２３】
１０は家電機器１に内蔵される簡易電力測定部で、１０１は回路グランド（ＧＮＤ）４Ａを基準に家電機器負荷回路２Ａに供給するＡＣ／ＤＣ変換電源１Ａの直流電圧＋５Ｖを測定する電圧計測手段、１０２は一定長配線パターン３Ａに流れる電流により両端に発生する発生電圧を測定する電流要素測定手段で構成する。１０３は一定長配線パターン３Ａの抵抗値を予め配線長から算出し記録する抵抗記録手段で、１０３１は家電機器毎に一定長配線パターン３Ａが変わる場合に、抵抗値を設定するための設定手段で、１０３２は設定手段１０３１で設定された抵抗値を記録しておく記録手段で構成する。
【００２４】
１０４は電流要素測定手段１０２で計測した電圧と抵抗記録手段１０３で記録された一定長配線パターン３Ａの抵抗値から電流を算出する電流演算手段で、１０５は電流演算手段１０４で算出した電流値と電圧計測手段１０１で計測した電圧からＡＣ／ＤＣ変換電源１Ａの家電機器負荷回路２Ａに消費する電力値を算出する電力演算手段で構成する。
【００２５】
１０６はＡＣ／ＤＣ変換電源１Ａの直流電源＋５Ｖ側の負荷比率による効率曲線を予め設定記録する効率設定手段で、１０７は電力演算手段１０５で算出した電力値から定格値に対する負荷比率と効率設定手段１０６で設定した効率曲線からＡＣ／ＤＣ変換電源１Ａの交流（ＡＣ）１００Ｖ側の電力値を簡易的に算出する簡易電力測定手段で構成する。
【００２６】
１０８は簡易電力測定手段１０７で算出した電力値を通信により家電機器１の外部に取り出す通信手段で構成する。
【００２７】
次に、このような構成の電力監視システムの動作、作用について説明する。
【００２８】
ＡＣ／ＤＣ変換電源１Ａは入力端子１１ａ、１１ｂにＡＣ１００Ｖの電源を接続し、出力端子１２ａ、１２ｂにＤＣ＋５Ｖを出力する。出力したＤＣ＋５Ｖの電源は一定長配線パターン３Ａを通して家電機器負荷回路２Ａに供給され、一定長配線パターン３Ａに負荷電流が流れる。この電流は、家電機器の負荷の使用状況により変化する。
【００２９】
次に簡易電力測定部１０は、内部の電圧計測手段１０１でＡＣ／ＤＣ変換電源１ＡのＤＣ＋５Ｖの電圧を取り込み計測する。また、電流要素測定手段１０２は一定長配線パターン３Ａの抵抗値に流れる負荷電流により発生する電圧を取り込み計測する。
【００３０】
次に抵抗記録手段１０３に対して一定長配線パターン３Ａの抵抗値を事前に確認しておき、その抵抗値を設定手段１０３１に接続して設定をおこなう。その設定値の抵抗値を記録手段１０３２に記録する。記録手段１０３２に設定された抵抗値と電流要素測定手段１０２で計測した電圧値とを電流演算手段１０４に入力し、一定長配線パターン３Ａに流れる電流値を算出する。
【００３１】
次に電流演算手段１０４で算出した電流値と電圧計測手段１０１の電圧値とを電力演算手段１０５に入力し、電力値を算出する。
【００３２】
効率設定手段１０６は、事前にＡＣ／ＤＣ変換電源１Ａの負荷比率にあわせた効率曲線を設定記録しておき、電力演算手段１０５で演算した負荷電力値とそのときの負荷比率による効率設定手段１０６の効率値とを簡易電力測定手段１０７に入力し、ＡＣ／ＤＣ変換電源１Ａの交流側の簡易電力値を算出する。
【００３３】
また、簡易電力測定手段１０７で算出した電力値を通信手段１０８を介して、複数の家電機器の電力監視をおこなうことができ、家庭内の電力監視のシステムを容易に構築することが可能である。通信手段１０８は、家庭内の環境に合わせて無線や有線または電灯線通信を利用しても同じである。
【００３４】
なお、ここでは抵抗記録手段１０３の設定手段を事前に抵抗値を測定し設定するようにしたが、一定長の配線パターンの長さを測定し、使用する配線の抵抗率、長さ、厚み、温度係数から算出する方法でも同じ機能、効果が得られる。例えば、下記のような方法で求める。
【００３５】
抵抗換算手段１０３３で、一定配線長パターンの長さを測定し、長さ、幅、厚み設定手段１０３１に設定するだけで、抵抗値を下記の方法で換算する。一般的に長さ、厚みや幅は設計初期の段階でわかっている情報なので、機種毎に設定変更することで対応可能である。
【００３６】
例えば、一定長配線パターンをプリント基板の銅箔で長さが５ｃｍ、厚み０．０３５ｍｍ、幅が１ｍｍとした場合に、銅の抵抗率は20℃のとき 1.72×10-8として抵抗換算手段１０３３にて下記の式で抵抗値Ｒを算出する。
Ｒ=０．０００１７２Ｌ／（ｗｔ）
ここで、幅 ｗ（ｍｍ）、厚さｔ（ｍｍ）、配線長Ｌ（ｃｍ）、抵抗Ｒ（オーム）である。上記の条件では、Ｒ＝０．０２４６（オーム）となる。
【００３７】
また、温度条件を加える場合には、下記の式を用いて補正しても同じである。
Ｒ=Ｒ２０（１+α２０（１-２０））
ここで、Ｒ２０：２０℃のときの抵抗値、α２０：２０℃のときの銅の抵抗の温度係数を3.96×1O-3である。
【００３８】
また、ここでは効率設定手段１０６に事前にＡＣ／ＤＣ変換電源１Ａの負荷比率による効率曲線を設定するようにしたが、効率設定手段１０６を用いることで電力精度の向上が可能であるが、用途においては簡易的な電力計測で十分な場合には効率設定手段１０６および簡易電力測定手段１０７を利用せずに電力演算手段１０５の値を利用してもよい。
【００３９】
また、効率設定手段１０６の効率曲線は事前にＡＣ／ＤＣ変換電源１Ａの負荷特性を測定することで可能となるため、家電機器毎にＡＣ／ＤＣ変換電源１Ａが変わった場合でも効率設定手段１０６に利用するＡＣ／ＤＣ変換電源１Ａの効率曲線を効率設定１０６に設定することで容易に対応が可能であり、生産性の向上も可能である。
【００４０】
また、電流要素測定手段１０２で一定長配線パターンの低抵抗値に負荷電流が流れた場合に発生する電圧が小さい場合には、増幅器を使用して、計測可能な電圧にする方法でも測定は同じである。例えば、配線パターンの抵抗値が０．０２４６オームであり、負荷電流が２Ａの場合に、発生電圧は０．０４９２Ｖである。増幅器を通して、Ａ／Ｄ変換器等で計測を可能にできる。
【００４１】
このように家電機器内部の電源から負荷への配線の一部分の抵抗値を利用して電流値を算出し、回路電圧を計測することで、大型のＣＴ（計器用変流器）や高絶縁を必要とするＶＴ（計器用変成器）を用いずに容易に簡易電力を測定することができる。また、一定長配線パターンをプリント基板の銅箔を利用することで長さ、厚み、幅が決まるため事前に抵抗測定せずに抵抗値を設定記録することが可能であり、家電機器毎に配線パターンが変わった場合でも、機器毎に長さ、幅、厚みから算出した抵抗値を設定するだけで対応が可能で、生産性も向上する。
【００４２】
なお、ここでは簡易電力測定方法として電力値を計測することを記載したが、電力値の積算をおこない電力量を求めることも電力演算手段でおこなってもよい。
【００４３】
（実施の形態２）
図２は本発明の実施の形態２の電力監視システムの構成図を示す。２１は通常の負荷回路に接続するか一定配線パターン３Ａに一定電流を流す定電流設定２０に接続するかを切替える切替手段で、２０は一定配線パターン３Ａに一定電流を流すための定電流源または定電流負荷装置となる定電流設定器で、２Ｂは定電流設定器２０と切替手段２１を搭載した家電機器の負荷回路で、１０９は定電流設定器２０から供給された電流により一定配線パターン３Ａで発生した電圧から一定配線パターン３Ａの抵抗値を演算する抵抗演算手段である。その他は実施の形態１と同じであるため省略する。
【００４４】
次に、このような構成の簡易電力測定方法の動作、作用について説明する。
【００４５】
抵抗記録手段１０３の抵抗値を設定する場合に、設定手段１０３１は、切替手段２１を定電流設定器側２０に切替え、定電流設定器２０は一定配線パターン３Ａに定電流を流し、一定配線パターン３Ａに発生する電圧を電流要素測定手段１０２で測定する。この定電流設定器２０で流す電流値は固定であるため、その電流値と電流要素測定手段１０２で測定した電圧値から抵抗演算手段１０９で一定配線パターン３Ａの配線抵抗値を算出する。
【００４６】
このようにすることで、一定配線パターンの抵抗値を事前に測定し、設定手段１０３で設定することが無く、機器毎に実際の電流を流して抵抗値を算出するため正確な抵抗値設定が可能であり、機器毎のばらつきがあっ多としても対応可能である。また、機器の経年変化や使用環境による温度変化があった場合でも容易に抵抗値の再設定が可能であり、電力計測の精度改善が可能である。
【００４７】
また、このような電力監視システムを搭載した家電機器を無線または電灯線や有線で接続されたホームネットワークに利用することで、家電機器毎の電力監視システムを容易で経済性に優れたシステムとして構築できる。さらに簡易電力測定を各家電機器毎に確認できるため、家庭内の電力会社から請求される消費電力の使用量に対してどの家電機器がより多く使用しているか等、管理および省エネルギー活動が可能である。
【００４８】
（実施の形態３）
図３は本発明の実施の形態３の電力監視システムの構成図を示す。１０２Ｃは一定配線パターン３Ａの共通の回路グランド（ＧＮＤ）４ＡをＡＣ／ＤＣ変換電源１Ａの出力電源端子の回路グランド（ＧＮＤ）１２ｂに近接し、簡易的に同等として１２ｂを簡易電流要素測定手段１０２Ｂの計測基準の回路グランドとした共通ＧＮＤ回路部で、簡易電流要素測定手段１０２Ｂは、共通回路ＧＮＤ部１０２Ｃを利用して電流値を測定する簡易電流要素測定手段で、その他は実施の形態１と同じであるため省略する。
【００４９】
次に、このような構成の簡易電力測定方法の動作、作用について説明する。
【００５０】
簡易電力測定部１０で家電機器負荷回路２Ａに流れる電流値および電圧値を測定する場合に、一定配線長パターン３Ａの共通の回路グランド４ＡをＡＣ／ＤＣ変換電源１Ａの出力端子１２ｂに近接し、共通の回路グランド（ＧＮＤ）４ＡとＡＣ／ＤＣ変換電源出力端子１２ｂ間の電圧誤差を近似的にゼロと想定して簡易電流測定手段１０２Ｂで簡易的に電流値を測定する。
【００５１】
このようにすることで、微小な誤差を含むものの簡易電流要素測定手段１０２Ｂの計測をおこなうための計測の基準回路ＧＮＤを家電機器１の動作電源の回路グランド（ＧＮＤ）と共通にすることができるため、計測方法が簡単になり、配線接続を簡素化できる。
【産業上の利用可能性】
【００５２】
以上のように、本発明は家庭内の家電機器に従来必要であった電力測定用のＣＴ（計器用変流器）やＶＴ（計器用変成器）を用いず容易に家電機器内部に電力計測機能を組み込みができるうえ、ホームネットワークを利用して家電機器の電力監視システムや省エネルギーマネジメントシステム等の用途にも適用できる。
【図面の簡単な説明】
【００５３】
【図１】本発明の実施の形態１の電力監視システムの構成図
【図２】本発明の実施の形態２の電力監視システムの構成図
【図３】本発明の実施の形態３の電力監視システムの構成図
【図４】従来の電力監視システムにおける構成図
【符号の説明】
【００５４】
１  家電機器
１Ａ  ＡＣ／ＤＣ変換電源
１１a、１１ｂ  ＡＣ／ＤＣ変換電源の入力端子
１２a、１２ｂ  ＡＣ／ＤＣ変換電源の出力端子
２Ａ、２Ｂ  家電機器負荷回路
３Ａ  一定配線長パターン
４Ａ  共通回路ＧＮＤ
１０  簡易電力測定部
１０１  電圧計測手段
１０２  電流要素測定手段
１０２Ｂ  簡易電流要素測定手段
１０３  抵抗記録手段
１０４  電流演算手段
１０５  電力演算手段
１０６  効率設定手段
１０７  簡易電力測定手段
１０８  通信手段
１０９  抵抗演算手段
１０３１  設定手段
１０３２  記録手段
１０３３  抵抗換算手段
２０  定電流設定器
２１  切替手段
１００  交流電圧
１００１Ａ  整流手段
１００２Ａ  変圧手段
１００３Ａ  スイッチング手段
１００４Ａ  電圧調整部
１００５Ａ  制御部
【図１】
2006184063.tif 000003
【図２】
2006184063.tif 000004
【図３】
2006184063.tif 000005
【図４】
2006184063.tif 000006